(57)【特許請求の範囲】
【請求項１】
熱媒体が内部に流れる蒸発器と、
前記蒸発器を通過した熱媒体を圧縮する圧縮機と、
前記圧縮機によって圧縮された熱媒体が通過する第２凝縮器と、
前記第２凝縮器を通過した熱媒体が通過する第１凝縮器と、
前記蒸発器、前記圧縮機、前記第１凝縮器および前記第２凝縮器を内部に収容する筐体と、
前記筐体の内部に空気を取り込み、取り込んだ空気を前記筐体の外部へ送るファンと、
を備え、
前記蒸発器、前記第１凝縮器、前記第２凝縮器および前記ファンは、一側方向に順に並び、
前記第１凝縮器と前記第２凝縮器との間には、第１空間が形成され、
前記蒸発器と前記第１凝縮器との間には、第２空間が形成され、
前記ファンによって前記筐体の内部に取り込まれた空気の一部は、前記蒸発器および前記第１凝縮器を順に介して前記第１空間に送られ、
前記ファンによって前記筐体の内部に取り込まれた空気の一部は、前記蒸発器および前記第１凝縮器を介さずに前記第１空間に送られ、
前記一側方向に直交する投影面において、前記ファンの中心軸は、前記第２凝縮器の中心よりも前記蒸発器の中心に近い除湿機。
【請求項２】
熱媒体が内部に流れる蒸発器と、
前記蒸発器を通過した熱媒体を圧縮する圧縮機と、
前記圧縮機によって圧縮された熱媒体が通過する第２凝縮器と、
前記第２凝縮器を通過した熱媒体が通過する第１凝縮器と、
前記蒸発器、前記圧縮機、前記第１凝縮器および前記第２凝縮器を内部に収容する筐体と、
前記筐体の内部に空気を取り込み、取り込んだ空気を前記筐体の外部へ送るファンと、
を備え、
前記蒸発器、前記第１凝縮器、前記第２凝縮器および前記ファンは、一側方向に順に並び、
前記第１凝縮器と前記第２凝縮器との間には、第１空間が形成され、
前記蒸発器と前記第１凝縮器との間には、第２空間が形成され、
前記ファンによって前記筐体の内部に取り込まれた空気の一部は、前記蒸発器および前記第１凝縮器を順に介して前記第１空間に送られ、
前記ファンによって前記筐体の内部に取り込まれた空気の一部は、前記蒸発器および前記第１凝縮器を介さずに前記第１空間に送られ、
前記ファンの中心軸は、前記一側方向に直交する投影面における前記蒸発器の中心を通る除湿機。
【請求項３】
前記一側方向に直交する投影面において、前記第２凝縮器は、前記蒸発器および前記第１凝縮器よりも大きい請求項１または請求項２に記載の除湿機。
【請求項４】
前記一側方向に直交する投影面において、前記蒸発器は、前記第１凝縮器と同じ大きさである請求項１から請求項３の何れか１項に記載の除湿機。
【請求項５】
前記筐体が水平面に置かれた状態において、前記蒸発器の下端と前記第１凝縮器の下端と前記第２凝縮器の下端との高さが揃っている請求項１から請求項４の何れか１項に記載の除湿機。
【請求項６】
前記筐体が水平面に置かれた状態において、前記第２凝縮器の下端は、前記蒸発器の下端および前記第１凝縮器の下端よりも上方にある請求項１から請求項４の何れか１項に記載の除湿機。
【請求項７】
前記ファンによって前記第２凝縮器を通過する空気の風量は、前記ファンによって前記蒸発器および前記第１凝縮器を通過する空気の風量よりも大きい請求項１から請求項６の何れか１項に記載の除湿機。
【発明の詳細な説明】
【技術分野】
【０００１】
本発明は、除湿機に関するものである。
【背景技術】
【０００２】
特許文献１に、除湿機が記載されている。この除湿機は、蒸発器、凝縮器および圧縮機を備える。特許文献１に記載された除湿機は、蒸発器、凝縮器および圧縮機を含む冷凍サイクルを利用したものである。【０００３】
除湿機のエネルギー効率を示すものとして、ＥＦ値がある。ＥＦ値は、１ｋＷｈ当たりの除湿量を示すものである。除湿機のＥＦ値を高くするには、当該除湿機の除湿量を変化させずに当該除湿機の消費電力を低下させる必要がある。冷凍サイクルを利用した除湿機の消費電力は、圧縮機の負荷を減らすことで低下する。圧縮機の負荷を減らす手法としては、凝縮器をより大きな風量の空気によって冷却する手法がある。この手法の一例として、特許文献１には、空気を除湿するための除湿風路と凝縮器を冷却するための放熱風路とが内部に形成された除湿機が記載されている。
【先行技術文献】
【特許文献】
【０００４】
【特許文献１】日本特開平５-８７４１７号公報
【発明の概要】
【発明が解決しようとする課題】
【０００５】
上記の特許文献１においては、除湿風路と放熱風路との風量を適切にするための構成が開示されていない。上記の特許文献１においては、例えば、蒸発器に十分な量の空気が通過しない可能性がある。このため、上記の特許文献１に記載の除湿機は、空気を十分に除湿することが難しい。【０００６】
本発明は、上記のような課題を解決するためになされたものである。本発明の目的は、エネルギー効率がよりよく、かつ空気を十分に除湿可能な除湿機を提供することである。
【課題を解決するための手段】
【０００７】
本発明に係る除湿機は、熱媒体が内部に流れる蒸発器と、蒸発器を通過した熱媒体を圧縮する圧縮機と、圧縮機によって圧縮された熱媒体が通過する第２凝縮器と、第２凝縮器を通過した熱媒体が通過する第１凝縮器と、筐体と、ファンと、を備える。筐体は、蒸発器、圧縮機、第１凝縮器および第２凝縮器を内部に収容する。ファンは、この筐体の内部に空気を取り込み、取り込んだ空気を当該筐体の外部へ送る。蒸発器、第１凝縮器、第２凝縮器およびファンは、一側方向に順に並ぶ。第１凝縮器と第２凝縮器との間には、第１空間が形成される。蒸発器と第１凝縮器との間には、第２空間が形成される。ファンによって筐体の内部に取り込まれた空気の一部は、蒸発器および第１凝縮器を順に介して第１空間に送られる。また、ファンによって筐体の内部に取り込まれた空気の一部は、蒸発器および第１凝縮器を介さずに第１空間に送られる。【０００８】
また、上記の一側方向に直交する投影面において、ファンの中心軸は、第２凝縮器の中心よりも蒸発器の中心に近い。または、ファンの中心軸は、一側方向に直交する投影面における蒸発器の中心を通る。
【発明の効果】
【０００９】
本発明によれば、エネルギー効率がよりよく、かつ空気を十分に除湿可能な除湿機を提供できる。
【図面の簡単な説明】
【００１０】
【図１】実施の形態１の除湿機の正面図である。
【図２】実施の形態１の除湿機の背面図である。
【図３】実施の形態１の除湿機の側面図である。
【図４】実施の形態１の除湿機の上面図である。
【図５】実施の形態１の除湿機の第１斜視図である。
【図６】実施の形態１の除湿機の第２斜視図である。
【図７】実施の形態１の後ケースが取り外された状態の除湿機の背面図である。
【図８】実施の形態１の後ケースが取り外された状態の除湿機の側面図である。
【図９】実施の形態１の除湿機の第３斜視図である。
【図１０】実施の形態１の除湿機の第４斜視図である。
【図１１】実施の形態１の除湿機の縦方向断面図である。
【図１２】実施の形態１の除湿機１の水平方向断面図である。
【図１３】実施の形態１の熱媒体回路を模式的に示す図である。
【発明を実施するための形態】
【００１１】
以下、添付の図面を参照して、実施の形態について説明する。各図における同一の符号は、同一の部分または相当する部分を示す。また、本開示では、重複する説明については適宜に簡略化または省略する。なお、本開示は、以下の実施の形態で説明する構成のうち、組み合わせ可能な構成のあらゆる組み合わせを含み得るものである。
【００１２】
実施の形態１．
図１は、実施の形態１の除湿機１の正面図である。図２は、実施の形態１の除湿機１の背面図である。図３は、実施の形態１の除湿機１の側面図である。図４は、実施の形態１の除湿機１の上面図である。図４は、水平面に置かれた状態の除湿機１を上方から見た状態を示す。図１から図４は、水平面に置かれた状態の除湿機１の外観を示している。本開示では、原則として、除湿機１が水平面に置かれた状態を基準にして、当該除湿機１について説明する。
【００１３】
なお、本開示では、除湿機１の正面方向を、前方向ともいう。本開示では、除湿機１の背面方向を、後方向ともいう。図１における紙面の手前方向を、除湿機１の前方向とする。図１における紙面の奥方向を、除湿機１の後方向とする。また、図２における紙面の手前方向を、除湿機１の後方向とする。図２における紙面の奥方向を、除湿機１の前方向とする。図３の紙面上の左右方向は、除湿機１の前後方向に対応する。また、図４の紙面上の上下方向は、除湿機１の前後方向に対応する。
【００１４】
図１、図２および図３において、紙面上の上下方向は、除湿機１の上下方向に対応する。図４における紙面の手前方向は、除湿機１の上方向である。図４における紙面の奥方向は、除湿機１の下方向である。また、図５は、実施の形態１の除湿機１の第１斜視図である。図６は、実施の形態１の除湿機１の第２斜視図である。図５は、除湿機１を前方斜め上から見た状態を示す。図６は、除湿機１を後方斜め上から見た状態を示す。
【００１５】
図１から図６に示すように、除湿機１は、ケース１０を備える。ケース１０は、除湿機１の外殻を形成する筐体の一例である。ケース１０は、例えば、自立可能な箱状に形成される。このケース１０の底部には、除湿機１を移動させるための車輪２０が設けられてもよい。
【００１６】
本実施の形態においてケース１０は、前ケース１０ａおよび後ケース１０ｂを有する。前ケース１０ａは、ケース１０の正面部分を形成する部材である。後ケース１０ｂは、ケース１０の背面部分を形成する部材である。後ケース１０ｂは、例えばネジ等によって前ケース１０ａに固定されている。
【００１７】
ケース１０には、吸込口１１および吹出口１２が形成される。吸込口１１は、ケース１０の外部から内部へ空気を取り込むための開口である。吹出口１２は、ケース１０の内部から外部へ空気を送り出すための開口である。本実施の形態において吸込口１１は、ケース１０の背面部分に形成される。吸込口１１は、後ケース１０ｂに形成されている。また、本実施の形態において吹出口１２は、ケースの１０の上面部分に形成される。換言すると、本実施の形態のケース１０には、後方を向く開口である吸込口１１と上方を向く開口である吹出口１２とが形成されている。
【００１８】
除湿機１は、吸込口１１を覆う吸込口カバー１１ａを備えてもよい。吸込口カバー１１ａは、例えば、メッシュ状に形成される。この吸込口カバー１１ａは、吸込口１１を介してケース１０の内部へ異物が侵入してしまうことを、防止する。吸込口カバー１１ａは、例えば、後ケース１０ｂに対して着脱自在に形成される。
【００１９】
また、除湿機１は、ルーバー１３を備える。ルーバー１３は、板状の部材によって構成される。ルーバー１３は、吹出口１２から空気が送り出される方向を調整するためのものである。ルーバー１３は、吹出口１２の近くに配置される。
【００２０】
また、除湿機１は、操作部１６ａおよび表示部１６ｂを備える。操作部１６ａは、使用者が除湿機１を操作するためのものである。表示部１６ｂは、除湿機１の状態等を使用者へ表示するものである。操作部１６ａには、例えば、ボタン等が含まれる。表示部１６ｂには、例えば、液晶画面等が含まれる。一例として操作部１６ａおよび表示部１６ｂは、ケース１０の上面の前側部分に設けられる。
【００２１】
後ケース１０ｂには、例えばケース１０の内部に収容される電源コードを覆うカバー１５が設けられてもよい。
【００２２】
ここで、図面を参照して、本実施の形態の除湿機１の内部の構造を、より詳しく説明する。図７は、実施の形態１の後ケース１０ｂが外された状態の除湿機１の背面図である。図８は、実施の形態１の後ケース１０ｂが外された状態の除湿機１の側面図である。また、図９は、実施の形態１の除湿機１の第３斜視図である。図１０は、実施の形態１の除湿機１の第４斜視図である。図９は、後ケース１０ｂが外された状態の除湿機１を正面方向斜め上から見た状態を示す。図１０は、後ケース１０ｂが外された状態の除湿機１を背面方向斜め上から見た状態を示す。
【００２３】
また、図１１は、実施の形態１の除湿機１の縦方向断面図である。図１２は、実施の形態１の除湿機１の水平方向断面図である。図１１は、図１、図２および図４におけるＡ−Ａ位置での断面を示す。除湿機１の左右方向に直交する断面を示している。また、図１２は、図１、図２および図３におけるＢ−Ｂ位置での断面を示す。図１２は、水平面に平行な断面を示している。図１１の紙面上の各方向は、図３の紙面上の各方向に対応する。図１２の紙面上の各方向は、図４の紙面上の各方向に対応する。図１１および図１２は、本実施の形態の除湿機１の内部の構造を示している。
【００２４】
本実施の形態の除湿機１は、空気を送る手段として、ファン２１を備える。ファン２１は、ケース１０の内部に空気を取り込み、取り込んだ空気をケース１０の外部へ送る装置である。ファン２１は、ケース１０の内部に収容される。ケース１０の内部には、図１１に示すように、吸込口１１から吹出口１２へと通じる風路が形成されている。ファン２１は、この風路に配置されている。ファン２１は、吸込口１１から吹出口１２へと通じる風路に、吸込口１１から吹出口１２へと向かう気流を発生させる装置である。
【００２５】
ケース１０の内部には、モータ２１ａが収容される。モータ２１ａは、ファン２１を回転させる装置である。本実施の形態においてモータ２１ａは、図１１および図１２に示すように、ファン２１の前方に配置される。モータ２１ａは、例えば、軸および歯車等の部材を介し、ファン２１に接続される。
【００２６】
除湿機１は、空気中に含まれる水を除去する除湿手段の一例として、蒸発器３１、圧縮機３２、第１凝縮器３３ａ、第２凝縮器３３ｂおよび減圧装置３４を備える。蒸発器３１、圧縮機３２、第１凝縮器３３ａ、第２凝縮器３３ｂおよび減圧装置３４は、ケース１０に収容される。蒸発器３１、圧縮機３２、第１凝縮器３３ａ、第２凝縮器３３ｂおよび減圧装置３４は、ケース１０の内部の空間の後側部分に配置されている。本実施の形態において蒸発器３１、圧縮機３２、第１凝縮器３３ａ、第２凝縮器３３ｂおよび減圧装置３４は、後ケース１０ｂに囲われている。
【００２７】
蒸発器３１、圧縮機３２、第１凝縮器３３ａ、第２凝縮器３３ｂおよび減圧装置３４は、熱媒体が循環する回路を形成する。本実施の形態において熱媒体が循環するこの回路を、熱媒体回路と称する。図１３は、実施の形態１の熱媒体回路を模式的に示す図である。蒸発器３１、圧縮機３２、第２凝縮器３３ｂ、第１凝縮器３３ａおよび減圧装置３４は、配管等を介して順に接続される。蒸発器３１、圧縮機３２、第２凝縮器３３ｂ、第１凝縮器３３ａおよび減圧装置３４には、熱媒体が流れる。
【００２８】
蒸発器３１、第１凝縮器３３ａおよび第２凝縮器３３ｂは、熱媒体と空気との間での熱交換を行うための熱交換器である。圧縮機３２は、熱媒体を圧縮させる装置である。減圧装置３４は、熱媒体を減圧させる装置である。減圧装置３４は、例えば、膨張弁またはキャピラリーチューブである。
【００２９】
蒸発器３１、圧縮機３２、第１凝縮器３３ａ、第２凝縮器３３ｂおよび減圧装置３４は、それぞれ、熱媒体の入口および出口を有している。蒸発器３１の出口は、圧縮機３２の入口に接続される。圧縮機３２には、蒸発器３１を通過した熱媒体が流入する。圧縮機３２は、当該圧縮機３２に流入した熱媒体を圧縮する。圧縮機３２によって圧縮された熱媒体は、当該圧縮機３２の出口から流出する。
【００３０】
圧縮機３２の出口は、第２凝縮器３３ｂの入口に接続される。第２凝縮器３３ｂの出口は、第１凝縮器３３ａの入口に接続される。第１凝縮器３３ａおよび第２凝縮器３３ｂには、圧縮機３２によって圧縮された熱媒体が流れる。
【００３１】
第１凝縮器３３ａの出口は、減圧装置３４の入口に接続される。減圧装置３４には、第１凝縮器３３ａおよび第２凝縮器３３ｂを通過した熱媒体が流入する。減圧装置３４は、当該減圧装置３４に流入した熱媒体を減圧させる。減圧装置３４によって減圧した熱媒体は、膨張する。
【００３２】
減圧装置３４の出口は、蒸発器３１の入口に接続される。蒸発器３１には、減圧装置３４によって減圧した熱媒体が流入する。本実施の形態において熱媒体は、蒸発器３１、圧縮機３２、第２凝縮器３３ｂ、第１凝縮器３３ａおよび減圧装置３４を順に通過する。減圧装置３４を通過した熱媒体は、再び蒸発器３１を流れる。熱媒体は、蒸発器３１、圧縮機３２、第２凝縮器３３ｂ、第１凝縮器３３ａおよび減圧装置３４を順に循環する。
【００３３】
上述したように、ケース１０の内部には、吸込口１１から吹出口１２へと通じる風路が形成されている。蒸発器３１の少なくとも一部は、吸込口１１から吹出口１２へと通じる風路に配置される。第１凝縮器３３ａの少なくとも一部は、吸込口１１から吹出口１２へと通じる風路に配置される。第２凝縮器３３ｂの少なくとも一部は、吸込口１１から吹出口１２へと通じる風路に配置される。本実施の形態において蒸発器３１、第１凝縮器３３ａおよび第２凝縮器３３ｂは、吸込口１１から吹出口１２へと通じる風路に配置される。
【００３４】
ここで、吸込口１１から吹出口１２へと通じる風路において、吸込口１１がある側を上流側とする。また、吸込口１１から吹出口１２へと通じる風路において、吹出口１２がある側を下流側とする。すなわちファン２１は、吸込口１１から吹出口１２へと通じる風路に、上流側から下流側へと向かう気流を発生させる。
【００３５】
本実施の形態においてファン２１は、蒸発器３１、第１凝縮器３３ａおよび第２凝縮器３３ｂの下流側に配置される。蒸発器３１、第１凝縮器３３ａおよび第２凝縮器３３ｂは、ファン２１と吸込口１１との間に配置される。本実施の形態においてファン２１は、第２凝縮器３３ｂと吹出口１２との間に配置される。また、ファン２１は、第２凝縮器３３ｂの前方に配置されている。
【００３６】
なお、蒸発器３１、第１凝縮器３３ａおよび第２凝縮器３３ｂに対するファン２１の配置は、本実施の形態に限定されるものではない。ファン２１は、吸込口１１から吹出口１２へ向かう気流を発生可能な位置に設けられればよい。例えば、蒸発器３１、第１凝縮器３３ａおよび第２凝縮器３３ｂの少なくとも１つは、ファン２１よりも下流側に配置されてもよい。
【００３７】
蒸発器３１は、第１凝縮器３３ａの上流側に配置される。蒸発器３１は、吸込口１１と第１凝縮器３３ａとの間に配置される。第１凝縮器３３ａは、蒸発器３１の下流側に配置される。第１凝縮器３３ａは、蒸発器３１と第２凝縮器３３ｂとの間に配置される。第２凝縮器３３ｂは、第１凝縮器３３ａとファン２１との間に配置される。
【００３８】
本実施の形態において、蒸発器３１と第１凝縮器３３ａとは、ケース１０の内部に、隣り合った状態で並べられる。また、第１凝縮器３３ａと第２凝縮器３３ｂとは、ケース１０の内部に、隣り合った状態で並べられる。蒸発器３１、第１凝縮器３３ａおよび第２凝縮器３３ｂは、ケース１０の内部に順に並ぶ。本実施の形態において蒸発器３１、第１凝縮器３３ａおよび第２凝縮器３３ｂは、後方から前方に向く方向に順に並ぶ。
【００３９】
蒸発器３１、第１凝縮器３３ａおよび第２凝縮器３３ｂが並ぶこの方向は、一側方向の一例である。本開示では、蒸発器３１、第１凝縮器３３ａおよび第２凝縮器３３ｂが並ぶこの方向を、単に一側方向とも称する。蒸発器３１、第１凝縮器３３ａおよび第２凝縮器３３ｂは、一側方向に順に並ぶ。
【００４０】
本実施の形態において、ファン２１は、第２凝縮器３３ｂの一側方向にある。また、ファン２１の中心を通る中心軸線Ｆは、図１１に示すように、前後方向すなわち一側方向に沿っている。中心軸線Ｆとは、ファン２１の中心軸と同軸上にある線である。ファン２１は、この中心軸線Ｆを回転軸として回転する。ファン２１は、例えば、シロッコファンである。ファン２１は、吹出口１２の下方に配置される。中心軸線Ｆを回転軸として回転するファン２１は、当該ファン２１の後方から当該ファン２１を介して上方に向かう気流を発生させる。
【００４１】
蒸発器３１、第１凝縮器３３ａおよび第２凝縮器３３ｂは、それぞれ平板状である。蒸発器３１、第１凝縮器３３ａおよび第２凝縮器３３ｂのそれぞれは、例えば、直方体状に形成される。本実施の形態において、蒸発器３１は、当該蒸発器３１の各外面のうちの最大の面が一側方向に直交するように設けられる。同様に、第１凝縮器３３ａは、当該第１凝縮器３３ａの各外面のうちの最大の面が一側方向に直交するように設けられる。同様に、第２凝縮器３３ｂは、当該第２凝縮器３３ｂの各外面のうちの最大の面が一側方向に直交するように設けられる。
【００４２】
平板状の蒸発器３１は、上下方向に沿うように配置される。平板状の第１凝縮器３３ａは、上下方向に沿うように配置される。平板状の第２凝縮器３３ｂは、上下方向に沿うように配置される。本実施の形態において蒸発器３１、第１凝縮器３３ａおよび第２凝縮器３３ｂは、平行になるように配置される。
【００４３】
本実施の形態において蒸発器３１は、吸込口１１の前方に配置されている。蒸発器３１は、第１凝縮器３３ａの後方に配置されている。第１凝縮器３３ａは、蒸発器３１の前方に配置されている。換言すると、第１凝縮器３３ａは、蒸発器３１に対して一側方向に配置されている。蒸発器３１は、第１凝縮器３３ａに対して他側方向に配置されている。また、蒸発器３１の前面と第１凝縮器３３ａの後面とは対向している。換言すると、蒸発器３１の一側方向端面と第１凝縮器３３ａの他側方向端面とは対向している。
【００４４】
本実施の形態において第２凝縮器３３ｂは、第１凝縮器３３ａの前方に配置されている。第１凝縮器３３ａは、第２凝縮器３３ｂの後方に配置されている。換言すると、第２凝縮器３３ｂは、第１凝縮器３３ａに対して一側方向に配置されている。第１凝縮器３３ａは、第２凝縮器３３ｂに対して他側方向に配置されている。また、第１凝縮器３３ａの前面と第２凝縮器３３ｂの後面とは対向している。換言すると、第１凝縮器３３ａの一側方向端面と第２凝縮器３３ｂの他側方向端面とは対向している。
【００４５】
第１凝縮器３３ａと第２凝縮器３３ｂとの間には、図１１および図１２に示すように、予め設定された寸法の隙間がある。この隙間を、第１空間１０１と称する。ケース１０の内部には、第１凝縮器３３ａと第２凝縮器３３ｂとの間に、第１空間１０１が形成されている。吸込口１１から吹出口１２へと通じる風路において、第１空間１０１は、第２凝縮器３３ｂの上流側に形成される。ファン２１によってケース１０内に取り込まれた空気は、この第１空間１０１を介して第２凝縮器３３ｂを通過する。
【００４６】
また、蒸発器３１と第１凝縮器３３ａとの間には、予め設定された寸法の隙間がある。この隙間を、第２空間１０２と称する。ケース１０の内部には、蒸発器３１と第１凝縮器３３ａとの間に、第２空間１０２が形成されている。
【００４７】
第１空間１０１は、第１凝縮器３３ａの前面と第２凝縮器３３ｂの後面とによって囲われている。換言すると、第１空間１０１は、第１凝縮器３３ａの一側方向端面と第２凝縮器３３ｂの他側方向端面とによって囲われている。また、第２空間１０２は、蒸発器３１の前面と第１凝縮器３３ａの後面とによって囲われている。換言すると、第２空間１０２は、蒸発器３１の一側方向端面と第１凝縮器３３ａの他側方向端面とによって囲われている。
【００４８】
本実施の形態の除湿機１は、ベルマウス３５を備えている。このベルマウス３５は、図１１および図１２に示すように、第２凝縮器３３ｂとファン２１との間に配置される。ベルマウス３５は、空気がファン２１へと効率よく流れ込むようにするために設けられる。ベルマウス３５は、ファン２１の上流側に配置される。ベルマウス３５は、第２凝縮器３３ｂの下流側に配置される。ベルマウス３５は、上流側から下流側に向けてすぼんだ形状をしている。
【００４９】
本実施の形態においてベルマウス３５は、第２凝縮器３３ｂの前方に配置される。ベルマウス３５の形状は、後方から前方に向けてすぼんだ形状である。換言すると、ベルマウス３５は、第２凝縮器３３ｂに対して、一側方向に配置されている。ベルマウス３５の形状は、一側方向に向けてすぼんだ形状である。ベルマウス３５の後端と第２凝縮器３３ｂの前面とは対向している。換言すると、ベルマウス３５の他側方向端部と第２凝縮器３３ｂの一側方向端面とは対向している。
【００５０】
ベルマウス３５と第２凝縮器３３ｂとの間には、図１１および図１２に示すように、予め設定された寸法の隙間がある。この隙間を、第３空間１０３と称する。ケース１０の内部には、ベルマウス３５と第２凝縮器３３ｂとの間に、第３空間１０３が形成されている。吸込口１１から吹出口１２へと通じる風路において、第３空間１０３は、第２凝縮器３３ｂの下流側に形成される。ファン２１によってケース１０内に取り込まれた空気は、第２凝縮器３３ｂおよび第３空間１０３を順に通過する。
【００５１】
第３空間１０３は、第２凝縮器３３ｂの前面とベルマウス３５の後端とによって囲われている。換言すると、第３空間１０３は、第２凝縮器３３ｂの一側方向端面とベルマウス３５の他側方向端部とによって囲われている。
【００５２】
第１空間１０１および第２空間１０２の寸法について説明する。第１空間１０１の幅Ｌ１は、第２空間１０２の幅Ｌ２よりも大きい。第１空間１０１の幅Ｌ１とは、第１空間１０１の前後方向寸法である。また、第２空間１０２の幅Ｌ２とは、第２空間１０２の前後方向寸法である。換言すると、第１空間１０１の幅Ｌ１とは、第１空間１０１の一側方向の寸法である。第２空間１０２の幅Ｌ２とは、第２空間１０２の一側方向の寸法である。
【００５３】
なお、第１空間１０１の幅Ｌ１を、単に幅Ｌ１とも称する。また、この幅Ｌ１を、第１空間１０１の一側方向の幅とも称する。また、第２空間１０２の幅Ｌ２を、単に幅Ｌ２、とも称する。この幅Ｌ２を、第２空間１０２の一側方向の幅、とも称する。
【００５４】
上述したように、第１凝縮器３３ａと第２凝縮器３３ｂとの間には、予め設定された寸法の隙間がある。この隙間が、第１空間１０１である。また、この予め設定された寸法が、幅Ｌ１である。幅Ｌ１は、予め設定された第１の一定長さの一例である。
【００５５】
上述したように、蒸発器３１と第１凝縮器３３ａとの間には、予め設定された寸法の隙間がある。この隙間が、第２空間１０２である。また、この予め設定された寸法が、幅Ｌ２である。幅Ｌ２は、予め設定された第２の一定長さの一例である。
【００５６】
本実施の形態において、幅Ｌ１は、第１凝縮器３３ａの前面から第２凝縮器３３ｂの後面までの距離である。第１凝縮器３３ａと第２凝縮器３３ｂとは、予め設定された第１の一定長さの一例である幅Ｌ１だけ離れている。換言すると、第１凝縮器３３ａの一側方向端面から第２凝縮器３３ｂの他側方向端面までの距離は、予め設定された第１の一定長さの一例である幅Ｌ１である。
【００５７】
また、本実施の形態において、幅Ｌ２は、蒸発器３１の前面から第１凝縮器３３ａの後面までの距離である。蒸発器３１の前面と第１凝縮器３３ａの後面とは、第２の一定長さの一例である幅Ｌ２だけ離れている。換言すると、蒸発器３１の一側方向端面から第１凝縮器３３ａの他側方向端面までの距離は、予め設定された第２の一定長さの一例である幅Ｌ２である。
【００５８】
次に、第３空間１０３の寸法について説明する。本実施の形態において、第３空間１０３の幅Ｌ３は、第１空間１０１の幅Ｌ１よりも大きい。第３空間１０３の幅Ｌ３とは、第３空間１０３の前後方向寸法である。換言すると、第３空間１０３の幅Ｌ３とは、第３空間１０３の一側方向の寸法である。この第３空間１０３の幅Ｌ３を、単に幅Ｌ３とも称する。また、この幅Ｌ３を、第３空間１０３の一側方向の幅とも称する。
【００５９】
上述したように、ベルマウス３５と第２凝縮器３３ｂとの間には、予め設定された寸法の隙間がある。この隙間が、第３空間１０３である。また、この予め設定された寸法が、幅Ｌ３である。幅Ｌ３は、予め設定された第３の一定長さの一例である。
【００６０】
本実施の形態において、幅Ｌ３は、第２凝縮器３３ｂの前面からベルマウス３５の後端までの距離である。第２凝縮器３３ｂとベルマウス３５とは、予め設定された第３の一定長さの一例である幅Ｌ３だけ離れている。換言すると、第２凝縮器３３ｂの一側方向端面からベルマウス３５の他側方向端部までの距離は、予め設定された第３の一定長さの一例である幅Ｌ３である。
【００６１】
上述したように、本実施の形態において、幅Ｌ１は、幅Ｌ２よりも大きい。これにより、第１空間１０１は第２空間１０２よりも広く形成される。また、幅Ｌ３は、幅Ｌ１よりも大きい。これにより、第３空間１０３は、第１空間１０１よりも広く形成される。幅Ｌ１は、例えば、１０［ｍｍ］である。幅Ｌ２は、例えば、３［ｍｍ］である。幅Ｌ３は、例えば、１５［ｍｍ］である。
【００６２】
また、上述したように、ケース１０の内部には、吸込口１１から吹出口１２へと通じる風路が形成されている。吸込口１１から吹出口１２へと通じるこの風路には、第１風路および第２風路が含まれる。換言すると、ケース１０の内部には、第１風路および第２風路が形成される。
【００６３】
第１風路は、ファン２１によってケース１０の内部に取り込まれた空気の一部が蒸発器３１および第１凝縮器３３ａを順に通って第１空間１０１へ送られるように形成された風路である。第１風路は、ファン２１によってケース１０の内部に取り込まれた空気の一部が蒸発器３１と第１凝縮器３３ａと第２凝縮器３３ｂとを順に通過するように形成された風路でもある。
【００６４】
また、第２風路は、ファン２１によってケース１０の内部に取り込まれた空気の一部が蒸発器３１および第１凝縮器３３ａを介さずに第１空間１０１へ送られるように形成された風路である。第２風路は、ファン２１によってケース１０の内部に取り込まれた空気の一部が蒸発器３１および第１凝縮器３３ａを介さずに第２凝縮器３３ｂを通過するように形成された風路でもある。
【００６５】
本実施の形態のケース１０の内部には、第１風路の一例として除湿風路４２が形成される。また、ケース１０の内部には、第２風路の一例としてバイパス風路４３が形成される。図１１に示すように、除湿風路４２およびバイパス風路４３のそれぞれは、吸込口１１から第１空間１０１へと通じる風路である。
【００６６】
除湿風路４２は、ファン２１によってケース１０の内部に取り込まれた空気の一部が蒸発器３１と第１凝縮器３３ａと第２凝縮器３３ｂとを順に通過するように形成される。蒸発器３１および第１凝縮器３３ａは、この除湿風路４２に配置されている。除湿風路４２は、吸込口１１から、蒸発器３１および第１凝縮器３３ａを介して、第１空間１０１へと至る。
【００６７】
バイパス風路４３は、ファン２１によってケース１０の内部に取り込まれた空気の一部が蒸発器３１および第１凝縮器３３ａを迂回して第２凝縮器３３ｂを通過するように形成される。バイパス風路４３は、除湿機１外の空気が蒸発器３１および第１凝縮器３３ａを介さずに直接的に第２凝縮器３３ｂを通過するように形成される。バイパス風路４３は、吸込口１１から、蒸発器３１および第１凝縮器３３ａを迂回して、第１空間１０１へと至る。
【００６８】
除湿風路４２およびバイパス風路４３は、任意の方法によって形成されればよい。一例として、ケース１０の内部には、仕切部材１７が設けられる。仕切部材１７は、吸込口１１から吹出口１２へと通じる風路内に配置される。仕切部材１７は、除湿風路４２とバイパス風路４３とを区切る。仕切部材１７は、例えば、平板状の部材である。
【００６９】
本実施の形態において平板状の仕切部材１７は、図１１に示すように、蒸発器３１および第１凝縮器３３ａの上方に設けられる。平板状の仕切部材１７は、一例として、水平方向と平行に配置される。除湿風路４２の一部は、仕切部材１７の下方に形成される。また、バイパス風路４３は、仕切部材１７の上方に形成される。本実施の形態においてバイパス風路４３は、蒸発器３１および第１凝縮器３３ａの上方に形成される。
【００７０】
図１１に示すように、蒸発器３１および第１凝縮器３３ａの上方に形成されたバイパス風路４３は、吸込口１１の上端よりも上方にある。なお、吸込口１１とバイパス風路４３との位置関係は、本実施の形態に限られるものではない。例えば、吸込口１１は、当該吸込口１１の上端がバイパス風路４３よりも上方になるように形成されてもよい。
【００７１】
また、図１１に示すように、本実施の形態の第２凝縮器３３ｂの上下方向寸法は、蒸発器３１の上下方向寸法および第１凝縮器３３ａの上下方向よりも大きい。第２凝縮器３３ｂの上下方向寸法は、例えば、２９４［ｍｍ］である。蒸発器３１の上下方向寸法は、例えば、２５２［ｍｍ］である。第１凝縮器３３ａの上下方向寸法は、例えば、２５２［ｍｍ］である。
【００７２】
図１１に示すように、本実施の形態の第２凝縮器３３ｂの上端は、蒸発器３１の上端および第１凝縮器３３ａの上端よりも上方にある。また、第２凝縮器３３ｂの上端は、吸込口１１よりも上方にある。蒸発器３１の上端および第１凝縮器３３ａの上端は、高さが揃っている。また、蒸発器３１の下端と第１凝縮器３３ａの下端と第２凝縮器３３ｂの下端との高さは、揃っている。
【００７３】
ファン２１の直径は、一例として、２５２［ｍｍ］である。このファン２１の中心軸および当該中心軸と同軸上にある中心軸線Ｆの高さは、本実施の形態においては、蒸発器３１の上下方向中心の高さと同じである。また、ファン２１の中心軸および中心軸線Ｆの高さは、本実施の形態においては、第２凝縮器３３ｂの上下方向中心よりも低い。ここで、前後方向すなわち一側方向に直交する投影面を、仮想投影面と称する。ファン２１と蒸発器３１と第２凝縮器３３ｂとは、ファン２１の中心軸が上記の仮想投影面における第２凝縮器３３ｂの中心よりも蒸発器３１の中心に近くなるように配置されている。換言すると、中心軸線Ｆと仮想投影面との交点は、この仮想投影面における第２凝縮器３３ｂの中心よりも蒸発器３１の中心に近い。なお、中心軸線Ｆの高さは蒸発器３１の中心の高さと異なっていてもよい。
【００７４】
蒸発器３１の左右方向寸法は、例えば、２７０［ｍｍ］である。第１凝縮器３３ａの左右方向寸法は、例えば、２７０［ｍｍ］である。第２凝縮器３３ｂの左右方向寸法は、例えば、２７０［ｍｍ］である。一例として、蒸発器３１の左右方向寸法と第１凝縮器３３ａの左右方向寸法と第２凝縮器３３ｂの左右方向寸法とは、同じである。上述したように、本実施の形態において第２凝縮器３３ｂの上下方向寸法は、蒸発器３１の上下方向寸法および第１凝縮器３３ａの上下方向寸法よりも大きい。本実施の形態において第２凝縮器３３ｂは、一側方向に直交する投影面において、蒸発器３１および第１凝縮器３３ａよりも大きい。また。一側方向に直交する投影面において、蒸発器３１は、第１凝縮器３３ａと同じ大きさである。
【００７５】
蒸発器３１の左端と第１凝縮器３３ａの左端と第２凝縮器３３ｂの左端とは、図１２に示すように、左右方向の位置が揃っている。また、蒸発器３１の右端と第１凝縮器３３ａの右端と第２凝縮器３３ｂの右端とは、左右方向の位置が揃っている。蒸発器３１の左右方向中心と第１凝縮器３３ａの左右方向中心と第２凝縮器３３ｂの左右方向中心とは、左右方向の位置が揃っている。
【００７６】
本実施の形態において、中心軸線Ｆは、図１２に示すように、蒸発器３１の左右方向中心に対してずれている。ファン２１がシロッコファンである場合、当該ファン２１は渦巻状のスクロールケーシングに収容される。渦巻状のスクロールケーシングの形状は、ファン２１の中心軸線Ｆを基準として左右に非対称である。本実施の形態では、中心軸線Ｆが蒸発器３１の左右方向中心に対してずれることで、ファン２１およびスクロールケーシングを収容するためのスペースが削減される。本実施の形態であれば、除湿機１がよりコンパクトになる。
【００７７】
また、蒸発器３１の前後方向寸法は、例えば、３８［ｍｍ］である。第１凝縮器３３ａの前後方向寸法は、例えば、２５［ｍｍ］である。第２凝縮器３３ｂの前後方向寸法は、例えば、２５［ｍｍ］である。上記の各前後方向寸法は、平板状の蒸発器３１、第１凝縮器３３ａおよび第２凝縮器３３ｂそれぞれの厚さである。一例として、第１凝縮器３３ａの厚さと第２凝縮器３３ｂの厚さとは同じである。また、一例として、蒸発器３１は、第１凝縮器３３ａおよび第２凝縮器３３ｂよりも厚い。また、ファン２１の前後方向寸法は、例えば、６０［ｍｍ］である。一例として、第３空間１０３の幅Ｌ３は、ファン２１の前後方向寸法の４分の１である。
【００７８】
なお、蒸発器３１、第１凝縮器３３ａおよび第２凝縮器３３ｂの寸法は、本実施の形態に限定されるものではない。また、蒸発器３１、第１凝縮器３３ａおよび第２凝縮器３３ｂの配置も、同様に、本実施の形態に限定されるものではない。
【００７９】
次に、本実施の形態の除湿機１が動作している際の空気の流れについて説明する。図１１における矢印は、除湿機１が動作している際の空気の流れを示している。
【００８０】
除湿機１は、例えば、使用者によって操作部１６ａが操作されることで動作を開始する。まず、ファン２１が回転する。ファン２１が回転すると、吸込口１１から吹出口１２へ向かう気流がケース１０の内部に発生する。これにより、ケース１０の外部の空気が、吸込口１１を介してケース１０の内部へ取り込まれる。ケース１０の外部の空気は、吸込口１１を介してケース１０の内部へ向けて流れる。ケース１０の外部の空気は、一側方向に流れる。
【００８１】
ケース１０の内部へ取り込まれた空気は、除湿風路４２とバイパス風路４３とに分岐する。ケース１０の内部へ取り込まれた空気の一部は、除湿風路４２へ導かれる。また、ケース１０の内部へ取り込まれた空気の一部は、バイパス風路４３へ導かれる。
【００８２】
除湿風路４２へ導かれた空気は、蒸発器３１を通過する。蒸発器３１を通過する空気と当該蒸発器３１を流れる熱媒体との間で熱交換が行われる。蒸発器３１には、上述したように、減圧装置３４によって減圧した熱媒体が流れる。蒸発器３１には、ケース１０の内部へ取り込まれた空気よりも低温の熱媒体が流れる。蒸発器３１を流れる熱媒体は、当該蒸発器３１を通過する空気から熱を吸収する。
【００８３】
上述したように、蒸発器３１を通過する空気２は、当該蒸発器３１を流れる熱媒体によって吸熱される。すなわち、蒸発器３１を通過する空気は、当該蒸発器３１を流れる熱媒体によって冷却される。これにより、蒸発器３１を通過する空気に含まれる水分が凝縮する。すなわち、結露が発生する。凝縮した空気中の水分は、液体の水として当該空気から除去される。除去された水は、例えば、ケース１０の内部に設けられたタンク１８に貯められる。
【００８４】
なお、このタンク１８は、ケース１０に対して着脱可能であってもよい。また、ケース１０には、タンクカバー１０ｃが含まれてもよい。タンクカバー１０ｃは、ケース１０内のタンク１８を覆う部材である。タンクカバー１０ｃは、タンク１８と一体で配置される。タンクカバー１０ｃおよびタンク１８は、前ケース１０ａに対して一体で着脱自在に形成される。なお、タンクカバー１０ｃは、タンク１８と一体でなくてもよい。タンクカバー１０ｃは、タンク１８から独立して、前ケース１０ａに対して着脱自在に形成されてもよい。使用者は、タンクカバー１０ｃを前ケース１０ａから取り外すことで、タンク１８を着脱することができる。
【００８５】
蒸発器３１を通過した空気は、第２空間１０２を介し、第１凝縮器３３ａへ送られる。第１凝縮器３３ａを通過する空気と当該第１凝縮器３３ａを流れる熱媒体との間で熱交換が行われる。第１凝縮器３３ａを流れる熱媒体は、当該第１凝縮器３３ａを通過する空気によって冷却される。
【００８６】
第１凝縮器３３ａを通過する空気は、当該第１凝縮器３３ａを流れる熱媒体によって加熱される。第１凝縮器３３ａを通過した空気は、第１空間１０１へと至る。このように、除湿風路４２へ導かれた空気は、蒸発器３１、第２空間１０２および第１凝縮器３３ａを順に通って第１空間１０１へと送られる。除湿風路４２内には、一側方向へ向けて空気が流れる。
【００８７】
上述したように、ケース１０の内部へ取り込まれた空気の一部は、バイパス風路４３へ導かれる。本実施の形態では、バイパス風路４３は、吸込口１１よりも上方にある。吸込口１１を介して取り込まれる空気の流れは、一側方向に向いた後に上方に向けて曲がる。このようにして、バイパス風路４３へ空気が導かれる。バイパス風路４３へ導かれた空気は、蒸発器３１および第１凝縮器３３ａを通過することなく第１空間１０１へと送られる。第１空間１０１には、除湿風路４２を通過した空気とバイパス風路４３を通過した空気とが送られる。
【００８８】
第１空間１０１では、除湿風路４２を通過した空気とバイパス風路４３を通過した空気とが混合される。第１空間１０１内で混合された空気は、図１１に示すように、第２凝縮器３３ｂを通過する。第２凝縮器３３ｂを通過する空気と当該第２凝縮器３３ｂを流れる熱媒体との間で熱交換が行われる。第２凝縮器３３ｂを流れる熱媒体は、当該第２凝縮器３３ｂを通過する空気によって冷却される。
【００８９】
第２凝縮器３３ｂを通過する空気は、当該第２凝縮器３３ｂを流れる熱媒体によって加熱される。第２凝縮器３３ｂを通過した空気は、除湿機１の外部の空気に比べて乾燥した状態である。この乾燥した状態の空気は、ファン２１を通過する。ファン２１を通過した空気は、吹出口１２から、ケース１０の上方へ送り出される。このようにして、除湿機１は、空気を除湿する。また除湿機１は、乾燥した状態の空気を外部へ供給する。
【００９０】
上記の実施の形態の除湿機１は、ケース１０の内部に取り込まれた空気の一部が蒸発器３１、第１凝縮器３３ａおよび第２凝縮器３３ｂを順に通過するように構成されている。また、除湿機１は、ケース１０の内部に取り込まれた空気の一部が蒸発器３１および第１凝縮器３３ａを介さずに第２凝縮器３３ｂを通過するように構成されている。上記の実施の形態であれば、蒸発器３１を通過する空気の風量を増やすことなく、第２凝縮器３３ｂを通過する空気の風量をより多くすることができる。また、上記の実施の形態であれば、第１凝縮器３３ａを通過する空気の風量を増やすことなく、第２凝縮器３３ｂを通過する空気の風量をより多くすることができる。上記の実施の形態であれば、バイパス風路４３を通過した空気、すなわち第１凝縮器３３ａによって温められていない空気によって、第２凝縮器３３ｂが効率よく冷却される。また、蒸発器３１を通過する空気の風量が増加しないため、蒸発器３１による除湿量が維持される。上記の実施の形態によれば、よりＥＦ値が高い除湿機１を得ることができる。
【００９１】
また、ケース１０の内部には、第１空間１０１が形成されている。第１空間１０１では、除湿風路４２を通過した空気とバイパス風路４３を通過した空気とが混合される。第１空間１０１の幅Ｌ１は、第２空間１０２の幅Ｌ２よりも大きい。第１空間１０１の圧力損失が小さくなり、バイパス風路４３から第１空間１０１へ向けて空気が効率よく流れる。また、第１空間１０１がより広く形成されることにより、当該第１空間１０１の内部で空気がより均一に混合される。本実施の形態であれば、第２凝縮器３３ｂは、第１空間１０１で混合された空気によって、効率よく冷却される。これにより、除湿機１のエネルギー効率がよりよくなる。
【００９２】
また、第２空間１０２の幅Ｌ２は、第１空間１０１の幅Ｌ１よりも小さい。本実施の形態であれば、第２空間１０２の幅Ｌ２を最小限にすることによって、除湿機１をよりコンパクトにすることができる。
【００９３】
なお、吸込口１１および吹出口１２は、任意の場所に設けられてよい。例えば、吸込口１１および吹出口１２は、ケース１０の側面に形成されてもよい。また、蒸発器３１、第１凝縮器３３ａおよび第２凝縮器３３ｂは、例えば、上下方向に順に並んでいてもよい。また、バイパス風路４３は、例えば、蒸発器３１、第１凝縮器３３ａの側方に形成されてもよい。
【００９４】
除湿風路４２およびバイパス風路４３は、上述したように、任意の方法によって形成されればよい。ケース１０の内部には、仕切部材１７が設けられていなくてもよい。除湿風路４２およびバイパス風路４３は、ケース１０および仕切部材１７とは別の部材によって形成されてもよい。
【００９５】
また、ケース１０の内部には、除湿風路４２およびバイパス風路４３がなくてもよい。ケース１０の内部の風路は、ファン２１によって取り込まれた空気の一部が蒸発器３１および第１凝縮器３３ａを介さずに第１空間１０１に送られるように形成されればよい。例えば、ケース１０には、空気をケース１０内に取り込むための開口が吸込口１１とは別に形成されてもよい。この開口は、当該開口から取り込まれた空気が蒸発器３１および第１凝縮器３３ａを介さずに第１空間１０１に送られるように形成される。この開口は、例えば、前後方向位置において第１凝縮器３３ａと第２凝縮器３３ｂとの間で、ケース１０の側面に形成される。
【００９６】
上記の実施の形態においてケース１０の内部には、第２凝縮器３３ｂとベルマウス３５との間に第３空間１０３が形成されている。第３空間１０３の幅Ｌ３は、第１空間１０１の幅Ｌ１よりも大きい。第３空間が広くなることにより、当該第３空間１０３の圧力損失が小さくなる。これにより、一定の風量の空気を流すために必要なファン２１の出力が下がる。上記の実施の形態であれば、除湿機１のエネルギー効率がよりよくなる。
【００９７】
なお、第３空間１０３における圧力損失は、幅Ｌ３がある上限値に達するまでは当該幅Ｌ３が大きいほど、小さくなる。この上限値は、例えば４０［ｍｍ］である。また、この上限値は、例えばファン２１の直径の６分の１である。
【００９８】
また、第３空間の幅Ｌ３を大きくすると、除湿機１の寸法も大きくなる。そこで、第３空間の幅Ｌ３は、例えば、第１空間１０１の幅Ｌ１と同じであってもよい。幅Ｌ３が幅Ｌ１以上であることにより、一定の風量の空気を流すために必要なファン２１の出力がより小さくなる。また、幅Ｌ３を幅Ｌ１と同じにすることにより、除湿機１をコンパクトにすることができる。
【００９９】
また上記の実施の形態のファン２１の中心軸線Ｆは、一側方向に直交する投影面において、第２凝縮器３３ｂの中心よりも蒸発器３１の中心に近い。これにより、バイパス風路４３に比べて除湿風路４２により多くの空気が流れ込む。上記の実施の形態によれば、空気を十分に除湿することが可能な除湿機１が得られる。一例として、除湿風路４２を流れる空気の風量は、バイパス風路４３を流れる空気の風量の２倍程度であるとよい。
【０１００】
上記の実施の形態において、ファン２１の中心軸線Ｆは、蒸発器３１の左右方向中心に対してずれている。ファン２１の中心軸線Ｆと蒸発器３１の左右方向中心とは、左右方向の位置が同じであってもよい。また、ファン２１の中心軸線Ｆは、一側方向に直交する投影面における蒸発器３１の中心を通ってもよい。これにより、より多くの空気が蒸発器３１を流れる。
【０１０１】
上記の実施の形態において、第２凝縮器３３ｂは、一側方向に直交する投影面において、蒸発器３１および第１凝縮器３３ａよりも大きい。ここで、熱交換器と当該熱交換器を通過する空気とが接触する面積を、通風面積と称する。上記の実施の形態であれば、第２凝縮器３３ｂの通風面積を、蒸発器３１の通風面積および第１凝縮器３３ａの通風面積よりも大きくすることができる。これにより、第２凝縮器３３ｂがより効果的に冷却される。
【０１０２】
また、一側方向に直交する投影面において、蒸発器３１は、第１凝縮器３３ａと同じ大きさである。これにより、除湿機１の設計およびケース１０内の風路の設計がより容易になる。また、除湿機１がコンパクトになる。
【０１０３】
上記の実施の形態において、蒸発器３１の下端と第１凝縮器３３ａの下端と第２凝縮器３３ｂの下端との高さは、揃っている。上記の実施の形態によれば、除湿機１の設計および製造がより容易になる。上記の実施の形態であれば、バイパス風路４３をケース１０内に容易に形成することができる。また、熱交換器である蒸発器３１と第１凝縮器３３ａの第２凝縮器３３ｂとは、除湿機１の全重量のうちの比較的多くの部分を占める重量物である。重量物である蒸発器３１と第１凝縮器３３ａと第２凝縮器３３ｂの下端とが揃うことにより、除湿機１が安定的に自立する。また、使用者は、除湿機１を安定した状態で運ぶことができる。
【０１０４】
なお、第２凝縮器３３ｂの上下方向寸法は、第１凝縮器３３ａの上下方向寸法と同じであってもよい。これにより、除湿機１はより軽量になる。また、除湿機１をよりコンパクトにすることが可能となる。
【０１０５】
また、第２凝縮器３３ｂの下端は、蒸発器３１の下端および第１凝縮器３３ａの下端よりも上方にあってもよい。この場合、第２凝縮器３３ｂが蒸発器３１および第１凝縮器３３ａと同じ大きさであっても、バイパス風路４３と除湿風路４２とを蒸発器３１および第１凝縮器３３ａの上方に形成することが可能となる。
【０１０６】
上記の実施の形態において、第２凝縮器３３ｂには、除湿風路４２を通過した空気とバイパス風路４３を通過した空気との両方が通過する。ケース１０の内部は、第２凝縮器３３ｂを通過する空気の風量が蒸発器３１および第１凝縮器３３ａを通過する空気の風量よりも多くなるように構成されてもよい。例えば、ケース１０の内部は、除湿風路４２を通過した空気とバイパス風路４３を通過した空気の全てが第２凝縮器３３ｂを通過するように構成されてもよい。また、ケース１０には、上述したように、吸込口１１に加えて、当該ケース１０の内部に空気を取り込む開口が別途形成されてもよい。この開口は、例えば、第２凝縮器３３ｂを通過する空気の風量が蒸発器３１および第１凝縮器３３ａを通過する空気の風量よりも多くなるように形成される。第２凝縮器３３ｂを通過する空気の風量がより多くなることにより、当該第２凝縮器３３ｂがより効果的に冷却される。
【０１０７】
上記の実施の形態において、バイパス風路４３は、蒸発器３１および第１凝縮器３３ａの上方に配置されている。蒸発器３１および第１凝縮器３３ａの上方に配置されたバイパス風路４３は、例えば、蒸発器３１および第１凝縮器３３ａの側面に取り付けられたＵ字型の継手管３６を介さずに、吸込口１１から第１空間１０１へと至る。また、蒸発器３１および第１凝縮器３３ａの上方に配置されたバイパス風路４３は、蒸発器３１、圧縮機３２、第１凝縮器３３ａ、第２凝縮器３３ｂおよび減圧装置３４を接続する配管を介さずに吸込口１１から第１空間１０１へと至る。バイパス風路４３に障害物がなくなることにより、当該バイパス風路４３における圧力損失が低減される。
【０１０８】
また、このバイパス風路４３が形成される箇所にハンドル１４が収容されていてもよい。ハンドル１４は、ケース１０に取り付けられる。ハンドル１４は、使用者が除湿機１を動かす際に、当該使用者によって把持される部材である。上記の実施の形態であれば、重量物である蒸発器３１および第１凝縮器３３ａに近い場所にハンドル１４を配置することが可能である。これにより、使用者は、ハンドル１４を把持して安定した状態で除湿機１を動かすことができる。
【産業上の利用可能性】
【０１０９】
本発明に係る除湿機は、例えば、任意の対象物を乾燥させるために利用される。
【符号の説明】
【０１１０】
１  除湿機、  １０  ケース、  １０ａ  前ケース、  １０ｂ  後ケース、  １０ｃ  タンクカバー、  １１  吸込口、  １１ａ  吸込口カバー、  １２  吹出口、  １３  ルーバー、  １４  ハンドル、  １５  カバー、  １６ａ  操作部、  １６ｂ  表示部、  １７  仕切部材、  １８  タンク、２０  車輪、  ２１  ファン、  ２１ａ  モータ、  ３１  蒸発器、  ３２  圧縮機、  ３３ａ  第１凝縮器、  ３３ｂ  第２凝縮器、  ３４  減圧装置、  ３５  ベルマウス、  ３６  継手管、  ４２  除湿風路、  ４３  バイパス風路、  １０１  第１空間、  １０２  第２空間、  １０３  第３空間
【図１】
0006729785.tif 000002
【図２】
0006729785.tif 000003
【図３】
0006729785.tif 000004
【図４】
0006729785.tif 000005
【図５】
0006729785.tif 000006
【図６】
0006729785.tif 000007
【図７】
0006729785.tif 000008
【図８】
0006729785.tif 000009
【図９】
0006729785.tif 000010
【図１０】
0006729785.tif 000011
【図１１】
0006729785.tif 000012
【図１２】
0006729785.tif 000013
【図１３】
0006729785.tif 000014